(57)【要約】【課題】スクイズ作業とスクイズ後の管の矯正を一台で迅速に行うことができるスクイズオフ装置およびこのスクイズオフ装置を用いた配管施工方法を提供する。【解決手段】一方のスクイズバーが他方のスクイズバーに対して相対的に進退可能に設けられ、一方のスクイズバーが他方のスクイズバーに対して進出して両スクイズバーの間に挿入された樹脂管を両スクイズバーによってスクイズして閉塞させるスクイズオフ装置において、スクイズバーの進退方向と直交する向きに対向して設けられる少なくとも一対の管当接部を有し、スクイズ後にスクイズバーが後退移動するのに伴い、一対の管当接部がスクイズバーの移動方向に直交する方向から管中心方向に向かって樹脂配管の壁面を押圧して樹脂配管のスクイズされた部分を断面がスクイズバーの移動方向に長軸を有する楕円形状になるまで矯正可能な矯正手段を備えるスクイズオフ装置を用いるようにした。【選択図】      図１
2009085360.tif 000002
【特許請求の範囲】
【請求項１】
一方のスクイズバーが他方のスクイズバーに対して相対的に進退可能に設けられ、一方のスクイズバーが他方のスクイズバーに対して相対的に進出して両スクイズバーの間に挿入された樹脂配管の一部を両スクイズバーによってスクイズして閉塞させるスクイズオフ装置において、
スクイズバーの進退方向と直交する向きに対向して設けられる少なくとも一対の管当接部を有し、スクイズ後にスクイズバーが後退移動するのに伴い、前記一対の管当接部がスクイズバーの移動方向に直交する方向から管中心方向に向かって樹脂配管の壁面を押圧して樹脂配管のスクイズされた部分を断面がスクイズバーの移動方向に長軸を有する楕円形状になるまで矯正可能な矯正手段を備えていることを特徴とするスクイズオフ装置。
【請求項２】
矯正手段は、管当接部を有するセンター部材と、このセンター部材に一端が枢支された２つのリンクとからなるリンク機構を少なくとも一対備え、この一対のリンク機構が管当接部を対面させた状態で、それぞれ一方のリンクの他端が一方のスクイズバーに枢支され、他方のリンクの他端が他方のスクイズバーに枢支される請求項１に記載のスクイズオフ装置。
【請求項３】
センター部材が、リンクが枢支される部材本体と、この部材本体に着脱自在な管当接部材とを備えている請求項２に記載のスクイズオフ装置。
【請求項４】
少なくとも一方のスクイズバーが、両スクイズバーが所定の距離に近づくと他方のスクイズバーに当接してスクイズバーのそれ以上の移動を抑止するストッパを着脱自在に備えている請求項１〜請求項３のいずれか一項に記載のスクイズオフ装置。
【請求項５】
樹脂配管の一部を請求項１〜請求項４のいずれか一項に記載のスクイズオフ装置を用いてスクイズし、スクイズ部より下流側で配管接続を行ったのち、スクイズ部を元の樹脂配管状態に戻す配管施工方法であって、スクイズバーを後退させて矯正手段によってスクイズ部を断面がスクイズバーの移動方向に長軸を有し、短軸側の外径が、元の配管の外径の６０％〜９０％である楕円形状になるまで一旦変形させることを特徴とする配管施工方法。
【請求項６】
樹脂配管のスクイズ部下流側にスクイズ前に電気融着ソケットを外嵌させておき、スクイズ完了後、スクイズ部をほぼ元の管径に矯正したのち、樹脂配管に外嵌されていた電気融着ソケットをスクイズ部上方までスライドさせ、スクイズ部外周面に電気融着する工程を含む請求項５に記載の配管施工方法。
【発明の詳細な説明】
【技術分野】
【０００１】
本発明は、ガスや水などの流体が流れるポリエチレン管などの樹脂管からなる配管の補修工事などを行う際に用いるスクイズオフ装置およびこのスクイズオフ装置を用いた配管施工方法に関する。
【背景技術】
【０００２】
近年、耐震性、耐侯性、柔軟性に優れしかも軽量である利点を持つポリエチレン等の樹脂管が従来の鋼管に代わり、ガス管あるいは水道管等に多用されている。このような樹脂埋設管にあっては、例えば、本管より枝管を敷設する工事やガス漏れ事故等での修理工事を行うことがある。
例えば、水道配管の仕切り弁以降の配管部分の工事を行う場合は、仕切り弁を閉めてその下流側を施工することができる。
【０００３】
しかし、その仕切り弁の止水性能が錆の付着等で十分でなく、工事箇所に若干漏水が生じる場合がある。
このように工事箇所に漏水があるなどして配管内に水分が残っていると、電気融着（エレクトロフージョン、ＥＦともいう）継手を用いた場合、接続不良が発生する恐れがある。
すなわち、電気融着継手を用いて配管接続する場合、融着する際にその融着界面に水があると、融着界面温度が低下したり、あるいは水が蒸発して、融着界面にボイドが発生したりして、適正な融着性能が得られない。
【０００４】
そこで、上記のように仕切り弁の止水不良がある場合や、枝管施工の場合において本管の配水を止めることなく、工事箇所の止水を行うことができるように、図１２に示すようなスクイズオフ装置１００が使用されている（特許文献１参照）。
【０００５】
すなわち、このスクイズオフ装置１００は、上下に配置されたスクイズバー１１０，１２０の間に配管Ｐを挿入し、油圧装置等を用いて上側のスクイズバー１１０を下側のスクイズバー１２０方向に移動させ、上下のスクイズバー１１０，１２０によって、配管Ｐの一部を内部が閉塞して配管Ｐ内部の流体がスクイズ部Ｐ１から下流に流れ出ないようにスクイズするようになっている。
【０００６】
一方、上記のようにスクイズオフ装置１００を用いた場合、配管工事が完了すれば、スクイズされた配管部分を元の管形状に復元させなければならないが、管の復元力に頼るだけでは、元の管径まで復元しないか、復元するにしてもかなりな時間がかかり、その間スクイズによってくびれた部分で圧力損失を生じ、またくびれ部分で折れ曲がり易く、管の強度を損なうようにもなる。
【０００７】
そこで、短時間でスクイズされた配管部分を元の管形状に復元させるために、図１３に示すような矯正具２００が提案されている。すなわち、この矯正具２００は、シリンダ２１０の作動によりリンク２２０の下側部に設けた押え部２２１が開閉するようになっていて、スクイズ部Ｐ１の両側に押え部２２１を当接させながら、押え部２２１を閉じる方向に動かすことによってスクイズ部Ｐ１を元の管形状になるように矯正するようになっている（特許文献２参照）。
しかし、スクイズした箇所を真円に矯正するのは、スクイズオフ装置１００を取外したのち、上記のような矯正具２００をスクイズ箇所にセットしなおす必要があるため、作業が煩雑となるとともに、工具も２台の必要で搬送の手間がかかる。
【０００８】
【特許文献１】特許３５２０５０４号公報
【特許文献２】特開平６−２８８４９７号公報
【発明の開示】
【発明が解決しようとする課題】
【０００９】
本発明は、上記事情に鑑みて、スクイズ作業とスクイズ後の管の矯正を一台で迅速に行うことができるスクイズオフ装置およびこのスクイズオフ装置を用いた配管施工方法を提供することを目的としている。
【課題を解決するための手段】
【００１０】
上記目的を達成するために、本発明にかかるスクイズオフ装置は、一方のスクイズバーが他方のスクイズバーに対して相対的に進退可能に設けられ、一方のスクイズバーが他方のスクイズバーに対して相対的に進出して両スクイズバーの間に挿入された樹脂管を両スクイズバーによってスクイズして閉塞させるスクイズオフ装置において、スクイズバーの進退方向と直交する向きに対向して設けられる少なくとも一対の管当接部を有し、スクイズ後にスクイズバーが後退移動するのに伴い、前記一対の管当接部がスクイズバーの移動方向に直交する方向から管中心方向に向かって樹脂配管の壁面を押圧して樹脂配管のスクイズされた部分を断面がスクイズバーの移動方向に長軸を有する楕円形状になるまで矯正可能な矯正手段を備えていることを特徴としている。
【００１１】
本発明のスクイズオフ装置において、矯正手段は、特に限定されないが、管当接部を有するセンター部材と、このセンター部材に一端が枢支された２つのリンクとからなるリンク機構を少なくとも一対備え、この一対のリンク機構が管当接部を対面させた状態で、それぞれ一方のリンクの他端が一方のスクイズバーに枢支され、他方のリンクの他端が他方のスクイズバーに枢支される構成とすることが好ましい。
上記センター部材としては、特に限定されないが、例えば、リンクが枢支される部材本体と、この部材本体に着脱自在な管当接部材とを備えている構成とすることが好ましい。
【００１２】
また、上記スクイズバーは、少なくとも一方のスクイズバーが、両スクイズバーが所定の距離に近づくと他方のスクイズバーに当接してスクイズバーのそれ以上の移動を抑止するストッパを着脱自在に備えている構成とすることが好ましい。
スクイズバーの駆動手段としては、特に限定されないが、進退が油圧で行われる複動式
油圧シリンダが挙げられる。
【００１３】
本発明のスクイズオフ装置でスクイズされる配管材としては、特に限定されず、ポリエチレン管、ポリプロピレン管、ポリ塩化ビニル管等が挙げられるが、中でもポリエチレン管が好ましい。
【００１４】
一方、本発明にかかる配管施工方法は、樹脂配管の一部を上記本発明のスクイズオフ装置を用いてスクイズし、スクイズ部より下流側で配管接続を行ったのち、スクイズ部を元の樹脂配管状態に戻す配管施工方法であって、スクイズバーを後退させて矯正手段によってスクイズ部を断面がスクイズバーの移動方向に長軸を有し、短軸側の外径が、元の配管の外径の６０％〜９０％（好ましくは６５％〜８５％、より好ましくは７０％〜８０％）である楕円形状になるまで一旦変形させることを特徴としている。
【００１５】
本発明の配管施工方法において、特に限定されないが、スクイズ部をほぼ元の管径に矯正したのち、矯正部の周囲を補強バンドで囲繞しておくことが好ましい。
上記補強バンドとしては、特に限定されないが、例えば、樹脂配管の外径とほぼ同じ内径をした電気融着ソケットを用いることができる。
すなわち、スクイズオフ装置による樹脂配管のスクイズ前に樹脂配管に予め上記電気融着ソケットを外嵌させておき、下流側での配管のつなぎこみ作業等が完了し、スクイズ部を矯正手段によってほぼ元の樹脂配管形状に矯正したのち、外嵌されていた電気融着ソケットをスクイズ部上方までスライドさせ、スクイズ部外周面に融着させるようにすればよい。
【００１６】
樹脂配管内を流れる流体としては、特に限定されないが、水、ガス等が挙げられる。
樹脂配管のスクイズ度合いは、配管材の材質、管の肉厚、管の口径等によっても適宜経験的に求められるが、スクイズが足らないと、十分に流体の流れを止めることができず、スクイズし過ぎると、管の損傷が激しく、復元時に割れ等が生じる恐れがある。
【発明の効果】
【００１７】
本発明にかかるスクイズオフ装置は、以上のように、一方のスクイズバーが他方のスクイズバーに対して相対的に進退可能に設けられ、一方のスクイズバーが他方のスクイズバーに対して相対的に進出して両スクイズバーの間に挿入された樹脂管を両スクイズバーによってスクイズして閉塞させるスクイズオフ装置において、スクイズバーの進退方向と直交する向きに対向して設けられる少なくとも一対の管当接部を有し、スクイズ後にスクイズバーが後退移動するのに伴い、前記一対の管当接部がスクイズバーの移動方向に直交する方向から管中心方向に向かって樹脂配管の壁面を押圧して樹脂配管のスクイズされた部分を断面がスクイズバーの移動方向に長軸を有する楕円形状になるまで矯正可能な矯正手段を備えているので、すばやくスクイズ部を元の管形状に近い状態まで短時間で戻すことができ、配管施工後直ちに使用可能となり、復旧作業を迅速に行うことができる。しかも、矯正具を別途用意する必要がなく、作業性が向上する。
また、矯正手段が樹脂配管のスクイズされた部分を断面がスクイズバーの移動方向に長軸を有する楕円形状になるまでスクイズ部を矯正可能であるので、元の管形状に近い状態までより速く復元させることができるようになる。すなわち、スクイズ部にはスクイズによってスクイズ方向に偏平となろうとする癖がついているので、矯正手段による矯正が解除されると、若干スクイズ方向の管径が小さくなろうとする。そこで、少しスクイズバーの移動方向に長軸を有する楕円形状になるまでスクイズ部を矯正することによって、スクイズ方向の管径が小さくなっても、元の管径に近づく。
【００１８】
そして、矯正手段を、管当接部を有するセンター部材と、このセンター部材に一端が枢支された２つのリンクとからなるリンク機構を少なくとも一対備え、この一対のリンク機構が管当接部を対面させた状態で、それぞれ一方のリンクの他端が一方のスクイズバーに枢支され、他方のリンクの他端が他方のスクイズバーに枢支される構造のものとすれば、両スクイズバーが離れる、すなわち、スクイズが解消される方向に相対移動するのに連動して、管当接部が対向する管当接部方向に動き、配管のスクイズ部をスクイズ方向に直交する方向から押圧し、スクイズによって変形した部分を元の配管形状に戻るように矯正することができる。しかも、センター部材が２つリンクによってスクイズバーに枢支されているので、スクイズバーが移動しても、両管当接部は常に管中心を挟んで平行状態を保ちつつ移動し、管を両側から均一に押圧することができる。
【００１９】
さらに、上記センター部材を、リンクが枢支される部材本体と、この部材本体に着脱自在な管当接部材とを備えている構成とすれば、スクイズされる管径に対応する管当接部材に交換するだけで、いろいろな管径の配管施工を１台のスクイズオフ装置で対応でき、コストダウンを図ることができる。
【００２０】
また、少なくとも一方のスクイズバーを、両スクイズバーが所定の距離に近づくと他方のスクイズバーに当接してスクイズバーのそれ以上の移動を抑止するストッパを着脱自在に備えている構成とすれば、ストッパに当たるまで移動させれば、一定のスクイズ量となる。
したがって、スクイズされる配管の管径や管肉厚に応じたスクイズ量に合うストッパを取り付けるようにすれば、配管を傷めずに確実に配管をスクイズ部で閉塞状態にすることができる。
【００２１】
本発明にかかる配管施工方法は、本発明のスクイズオフ装置を用いてスクイズし、スクイズ部より下流側で配管接続を行ったのち、スクイズ部を元の樹脂配管状態に戻す配管施工方法であって、スクイズバーを後退させて矯正手段によってスクイズ部を断面がスクイズバーの移動方向に長軸を有し、短軸側の外径が、元の配管の外径の６０％〜９０％である楕円形状になるまで一旦変形させるようにしたので、スクイズ部を迅速に元の配管形状に戻すことができ、作業性が向上する。
【００２２】
そして、樹脂配管のスクイズ部下流側にスクイズ前に電気融着ソケットを外嵌させておき、スクイズ完了後、スクイズ部をほぼ元の管径に矯正したのち、樹脂配管に外嵌されていた電気融着ソケットをスクイズ部上方までスライドさせ、スクイズ部外周面に電気融着する工程を含む構成とすれば、スクイズによって強度的に弱くなった部分を容易に補強することができ、配管の安全性を高めることができる。
【発明を実施するための最良の形態】
【００２３】
以下に、本発明を、その実施の形態をあらわす図面を参照しつつ詳しく説明する。
図１〜図５は、本発明にかかるスクイズオフ装置の１つの実施の形態をあらわしている。
【００２４】
図１〜図５に示すように、このスクイズオフ装置１は、本体２と、複動式油圧シリンダ３と、上部スクイズバー４と、下部スクイズバー５と、２組の矯正手段６と、センター出し部材７とを備えている。
本体２は、４本の支柱２１と、シリンダ受部２２と、２つの下部スクイズバー受部２３と、８つのナット２４と、２つの固定フック２５とを備えている。
【００２５】
４本の支柱２１は、同じ形状をしていて、それぞれ両側にナット２４が螺合するねじ部２１ａを備えている。
シリンダ受部２２は、外形が平面視略矩形をしていて、４隅に穿設されたねじ部挿通孔（図示せず）にそれぞれ支柱２１のねじ部２１ａが下方から挿通され、ねじ部挿通孔から突出したねじ部２１ａにナット２４を締め込むことによって支柱２１の一端が固定されるとともに、図５に示すように、ピストンロッド３１がシリンダ受部２２を貫通し、下部スクイズバー５方向に進退可能に複動式油圧シリンダ３を中央部で受けている。
【００２６】
下部スクイズバー受部２３は、長手方向の長さがシリンダ受部２２の短手方向とほぼ同じ長さの略矩形の板状をするとともに、シリンダ受部２２の長手方向の両側にシリンダ受部２２の短手方向の２つのねじ部挿通孔と同じピッチでねじ部挿通孔（図示せず）が穿設され、このねじ部挿通孔に支柱２１の下側のねじ部２１ａが上方から挿通され、ねじ部挿通孔から突出したねじ部２１ａにナット２４を締め込むことによって支柱２１の一端が固定される。
すなわち、２本ずつの支柱２１が間隔の狭い側でそれぞれ下部スクイズバー受部２３によって固定されている。
【００２７】
固定フック２５は、下部スクイズバー受部２３の長辺側の一側面に一端部が軸支され、他端部の側面に後述する係止ねじ５３のねじ部が係合可能で、ねじ頭部より幅の狭い切欠２５ａが穿設されている。
上部スクイズバー４は、下面側が半円柱状をした略かまぼこ形をしていて、長手方向がシリンダ受部２２の長手方向の長手方向の寸法とほぼ同じ長さ、短手方向が間隔の狭い側の支柱間に収まる長さをしていて、上面側中央でピストンロッド３１の先端部が固定され、ピストンロッド３１が油圧により進退することによって、下部スクイズバー５方向に進退するようになっている。
【００２８】
また、上部スクイズバー４の長辺側の両側面には、後述する矯正手段６のリンク受部６２が収容固定される凹部４１がそれぞれ穿設されている。
凹部４１内には、図６に示すように、リンク受部６２の固定用ねじ穴４２がそれぞれ２つずつ設けられている。
【００２９】
下部スクイズバー５は、スクイズバー本体５１と、２つのストッパ５２と、２つの係止ねじ５３とを備えている。
スクイズバー本体５１は、上部スクイズバー４とほぼ対称形状をしていて、上面側が半円柱状をした略かまぼこ形をしている。
【００３０】
スクイズバー本体５１の長辺側の両側面には、後述する矯正手段６のリンク受部６２が収容固定される凹部５４がそれぞれ穿設されている。
凹部５４内には、リンク受部６２の固定用ねじ穴（図示せず）がそれぞれ２つずつ設けられている。
【００３１】
ストッパ５２は、スクイズバー本体５１の長手方向の両端部上面にそれぞれねじ固定され、ねじを解締することによって着脱可能になっていて、スクイズされる管の肉厚や管径に応じて最適なストッパ５２に交換できるようになっている。
係止ねじ５３は、スクイズバー本体５１の短辺側の両側面の、固定フック２５の切欠２５ａにねじ部が係合される位置に螺合されている。
【００３２】
すなわち、下部スクイズバー５は、スクイズバー本体５１の両端部がそれぞれ下方から下部スクイズバー受部２３によって受けられ、固定フック２５の切欠２５ａに係止ねじ５３の首部が嵌り込んだのち、係止ねじ５３を締め込むことによって固定される。
そして、後述する矯正手段６を取り除き、係止ねじ５３を緩め、固定フック２５を回転させれば、図６に示すように、下部スクイズバー５を容易に取り除くことができる。
【００３３】
矯正手段６は、２つのリンク６１と、２つのリンク受部６２と、２本のリンク受部固定用セットボルト６３と、管当接部となるライナー６４ｂを有するセンター部材６４とを備える１対のリンク機構６ａから構成され、対となるリンク機構６ａのライナー６４ｂ同士が対面するように装着されるようになっている。
【００３４】
そして、センター部材６４は、長手方向両端部にリンク６１の枢支溝を備えた部材本体６４ａと、ライナー６４ｂとを備えている。
ライナー６４ｂは、部材本体６４ａにねじ固定され、ねじを解締することによって着脱可能になっていて、スクイズされる管の管径に応じて最適なライナー６４ｂに交換できるようになっている。そして、複動式油圧シリンダ３を最上部まで作動させたときに、後述するように管を６０〜９０％へと矯正できるようなライナー６４ｂを選択して取り付ければよい。
【００３５】
リンク６１は、一端が部材本体６４ａに枢支され、他端が、リンク受部６２に枢支されている。
リンク受部６２は、凹部４１とほぼ同じ幅をしていて、凹部４１内に嵌り込むとともに、セットボルト６３を凹部４１に設けられた固定用ねじ穴４２にねじ込むことによって上部スクイズバー４あるいは下部スクイズバー５のスクイズバー本体５１に位置決めされた状態で固定されるようになっている。
【００３６】
センター出し部材７は、正面視略逆Ｙ字形の板材で形成されていて、Ｙ字の垂直辺に正面視逆Ｅ字形をした高さ調整溝７１が穿設されている。
そして、このセンター出し部材７は、シリンダ受部２２の長辺側の側面センター突設された突起２７が高さ調整溝７１内に臨むことによってシリンダ受部２２に支持されていて、突起２７が高さ調整溝７１のいずれかの水平辺の端部（図２参照）に配置された状態で、Ｙ字の両斜辺に配管Ｐの外壁が当たると、配管Ｐの中心軸が本体２の幅方向中心に一致するようになっている。
【００３７】
つぎに、図６〜図１１を用いて、上記スクイズオフ装置１の動作およびスクイズオフ装置１を用いた配管施工方法の１例を詳しく説明する。
（１）図６に示すように、まず、矯正手段６および下部スクイズバー５を取り除いた状態にしたのち、上部スクイズバー４に直交した状態で、配管Ｐが上部スクイズバー４と支柱２１との間に臨むように、本体２を配置する。
【００３８】
（２）図７に示すように、スクイズバー本体５１と上部スクイズバー４との間に配管Ｐが配置されるように、下部スクイズバー５をセットするとともに、リンク機構６ａのリンク受部６２を対応する上部スクイズバー４の凹部４１あるいはスクイズバー本体５１の凹部５４内に挿入し、セットボルト６３をねじ込むことによって矯正手段６を本体２に装着する。
（３）図８に示すように、複動式油圧シリンダ３を作動させて、上部スクイズバー４を下部スクイズバー５のストッパ５２に当接する位置まで下部スクイズバー５方向に下降させて、配管Ｐをスクイズする。
【００３９】
（４）図示していないが、配管Ｐのスクイズ部より下流側を切断し、外径とほぼ同じ内径をしたソケットタイプの電気融着（エレクトロフュージョン）継手（以下、「電気融着ソケット」と記す）を切断部から配管Ｐに外嵌させた状態で切断部に、たとえば、チーズ、エルボやソケットタイプの電気融着継手を介して新しいポリエチレン管を接続する。
（５）新しいポリエチレン管の接続完了後、図９に示すように、複動式油圧シリンダ３を作動させて、上部スクイズバー４を上方に移動させ、矯正手段６のライナー６４ｂによって、配管Ｐのスクイズ部Ｐ１を水平方向両側から管中心方向に管壁を押圧し、強制的に元の管形状に復元するように矯正する。
なお、矯正は、ライナー６４ｂによる押圧解除後にスクイズ方向への戻りを考慮して上下方向に長い楕円形状になるまで行う。矯正の度合いは、スクイズされる配管Ｐの径、肉厚、材質により適宜決定されるが、通常、楕円の短軸（スクイズバーの移動方向に直交する方向の軸）側の外径がスクイズ前の元の配管外径の６０〜９０％程度である。すなわち、矯正度合いが大きすぎると、上下方向の径が元の配管の径まで戻りきらず、上下方向の径が元の配管の径より長い楕円形状になってしまい、矯正度合いが小さいと、スクイズ方向へ戻り過ぎて、上下方向の径が元の配管の径より短い楕円形状になってしまう。
【００４０】
（６）図１０に示すように、矯正手段６および下部スクイズバー５を取り外したのち、本体２を取り除く。
（７）図１１に示すように、電気融着ソケットＳを矯正部分Ｐ２に外嵌されるようにスライドさせたのち、電気融着ソケットＳを配管Ｐに電気融着させる。
【００４１】
本発明は、上記の実施の形態に限定されない。たとえば、上記の実施の形態では、上部スクイズバーが下部スクイズバー方向に進退するようになっていたが、下部スクイズバーも上部スクイズバー方向に進退できるようにしても構わないし、スクイズバーを上下方向に設ける代わりに水平方法に進退させるようにしても構わない。
上記の実施の形態では、センター出し部材を備えていたが、センター出し部材は特に設けなくても構わない。
【００４２】
以下に、実験例を説明する
【００４３】
（実験例１）
呼び径１００Ａ（外径１２５ｍｍ、最小肉厚１１．４ｍｍ）のポリエチレン管を用いた配管の一部を上記スクイズオフ装置１で表１に示す圧縮率を変化させてスクイズし、それぞれの圧縮率の場合の管内面の状態および配管のスクイズ部より上流側でスクイズ部より３０ｃｍ高さの満水試験を行い、スクイズ部より下流側への漏水を調べ、その結果をスクイズバーギャップとともに、表１に示した。
なお、圧縮率は、以下の式で求めた。
圧縮率＝（１−スクイズバーギャップ／最小肉厚×２）×100
【００４４】
【表１】
2009085360.tif 000003
【００４５】
上記表１から、スクイズする際の、上部スクイズバー４と下部スクイズバー５とのギャップは、元の配管の最小肉厚に対して、小さすぎると、管の損傷が激しく、大きすぎると漏水するため、１００Ａのポリエチレン管においては、圧縮率２５〜３０％程度とすることが好ましいと思われる。
【００４６】
（実験例２）
呼び径７５Ａ（外径９０ｍｍ、最小肉厚８．２ｍｍ）のポリエチレン管を上記実験例１と同様にして上記スクイズオフ装置１を用いて圧縮率３０％（スクイズバーギャップ１１．５ｍｍ）となるようにスクイズしたところ、漏水はなかった。
【００４７】
実験例２と同様にして呼び径７５Ａ（外径９０ｍｍ、最小肉厚８．２ｍｍ）のポリエチレン管を、上記スクイズオフ装置１を用いて圧縮率３０％となるようにスクイズしたのち、ライナー６４ｂの間隔を表２にしめす寸法まで上部スクイズバー４を上方へ引き上げてスクイズ部を矯正した。そして、スクイズオフ装置１から取り外したポリエチレン管のスクイズ部の上部スクイズバー４の進退方向寸法（Ｃ）と、ライナー６４ｂの進退方向（Ｂ寸法）とを測定するとともに、電気融着ソケットＳをポリエチレン管に管端から矯正部にスライドさせ、矯正部上への電気融着ソケットＳのやりとりについて、その結果を表２に示した。
【００４８】
【表２】
2009085360.tif 000004
【００４９】
上記表２から、元管外径に対する比が６０％付近では矯正しすぎ、９０％付近では矯正不足で、やりとりがやや困難となるが、やりとりは可能であることがわかる。すなわち、
スクイズ方向に直交する方向の外径が、元の配管の外径の６０％〜９０％である楕円形状になるまで一旦変形させるようにすれば、電気融着ソケットのやりとりが可能でほぼ元のポリエチレン管に近い状態まで迅速に復元できることがわかる。
【図面の簡単な説明】
【００５０】
【図１】本発明にかかるスクイズオフ装置の１つの実施の形態をあらわす斜視図である。
【図２】図１のスクイズオフ装置の正面図である。
【図３】図１のスクイズオフ装置の側面図である。
【図４】図１のスクイズオフ装置の平面図である。
【図５】図１のスクイズオフ装置の側面断面図である。
【図６】図１のスクイズオフ装置の下部スクイズバーを取り除いた状態の正面図である。
【図７】本発明の配管施工方法の配管のスクイズ前の状態を説明する図である。
【図８】本発明の配管施工方法の配管をスクイズした状態を説明する図である。
【図９】本発明の配管施工方法の配管の矯正状態を説明する図である。
【図１０】本発明の配管施工方法のスクイズ装置取り外し状態を説明する図である。
【図１１】本発明の配管施工方法のスクイズ部補強工程を説明する図である。
【図１２】従来のスクイズオフ装置の正面図である。
【図１３】従来の矯正具の正面図である。
【符号の説明】
【００５１】
１  スクイズオフ装置
２  本体
３  複動式油圧シリンダ
４  上部スクイズバー
５  下部スクイズバー
５２  ストッパ
６  矯正手段
６ａ  リンク機構
６１  リンク
６４  センター部材
６４ａ  部材本体
６４ｂ  ライナー（管当接部）
Ｐ  樹脂配管
Ｐ１  スクイズ部
Ｐ２  矯正部分
Ｓ  電気融着ソケット
【図１】
2009085360.tif 000005
【図２】
2009085360.tif 000006
【図３】
2009085360.tif 000007
【図４】
2009085360.tif 000008
【図５】
2009085360.tif 000009
【図６】
2009085360.tif 000010
【図７】
2009085360.tif 000011
【図８】
2009085360.tif 000012
【図９】
2009085360.tif 000013
【図１０】
2009085360.tif 000014
【図１１】
2009085360.tif 000015
【図１２】
2009085360.tif 000016
【図１３】
2009085360.tif 000017